(57)【特許請求の範囲】
【請求項１】
目標容器内の現在温度を取得し、前記目標容器とバインディング関係を有する目標端末から前記目標容器までの距離を取得するステップと、
前記現在温度に基づいて、前記目標容器内の温度から予め設定した目標温度まで変化するのにかかる時間である第１時間を特定するステップと、
前記目標端末から前記目標容器までの距離に基づいて、前記目標端末が前記目標容器まで移動するのにかかる時間である第２時間を特定するステップと、
前記第１時間が前記第２時間未満であると、提示信号をトリガするステップと
を含み、
ここで、前記目標温度は、水の沸点である１００℃未満である
ことを特徴とする温度提示方法。
【請求項２】
目標容器内の現在温度を取得し、前記目標容器とバインディング関係を有する目標端末から前記目標容器までの距離を取得するステップは、
目標容器内の現在温度を取得し、前記現在温度と予め設定した目標温度との間の差分が予め設定した閾値より小さいと、前記目標容器とバインディング関係を有する目標端末から前記目標容器までの距離を取得するステップ
を含むことを特徴とする請求項１に記載の温度提示方法。
【請求項３】
前記現在温度に基づいて、前記目標容器内の温度から予め設定した目標温度まで変化するのにかかる時間である第１時間を特定するステップは、
前記現在温度に基づいて、事前に保存した温度と時間との変化関係関数に従って、前記目標容器内の温度から予め設定した目標温度まで変化するのにかかる時間である第１時間を特定するステップ
を含むことを特徴とする請求項１に記載の温度提示方法。
【請求項４】
前記目標端末から前記目標容器までの距離に基づいて、前記目標端末が前記目標容器まで移動するのにかかる時間である第２時間を特定するステップは、
前記目標端末の過去の移動過程での移動速度を取得するステップと、
前記目標端末から前記目標容器までの距離、及び前記移動速度に基づいて、前記目標端末が前記目標容器まで移動するのにかかる時間である第２時間を特定するステップと
を含むことを特徴とする請求項１に記載の温度提示方法。
【請求項５】
前記第１時間が前記第２時間未満であると、提示信号をトリガするステップは、
前記第１時間が前記第２時間未満であると、前記目標端末に提示通知を送信して、前記目標端末が提示信号を発するようにするステップ、
及び／或は、
前記第１時間が前記第２時間未満であると、前記目標容器に提示通知を送信して、前記目標容器が提示信号を発するようにするステップ
を含むことを特徴とする請求項１に記載の温度提示方法。
【請求項６】
目標容器内の現在温度を取得し、前記目標容器とバインディング関係を有する目標端末から前記目標容器までの距離を取得するための取得モジュールと、
前記現在温度に基づいて、前記目標容器内の温度から予め設定した目標温度まで変化するのにかかる時間である第１時間を特定するための第１特定モジュールと、
前記目標端末から前記目標容器までの距離に基づいて、前記目標端末が前記目標容器まで移動するのにかかる時間である第２時間を特定するための第２特定モジュールと、
前記第１時間が前記第２時間未満であると、提示信号をトリガするためのトリガモジュールと
を備え、
ここで、前記目標温度は、水の沸点である１００℃未満である
ことを特徴とする温度提示装置。
【請求項７】
前記取得モジュールは、
目標容器内の現在温度を取得し、前記現在温度と予め設定した目標温度との間の差分が予め設定した閾値より小さいと、前記目標容器とバインディング関係を有する目標端末から前記目標容器までの距離を取得する
ことを特徴とする請求項６に記載の温度提示装置。
【請求項８】
前記第１特定モジュールは、
前記現在温度に基づいて、事前に保存した温度と時間との変化関係関数に従って、前記目標容器内の温度から予め設定した目標温度まで変化するのにかかる時間である第１時間を特定する
ことを特徴とする請求項６に記載の温度提示装置。
【請求項９】
前記第２特定モジュールは、
前記目標端末の過去の移動過程での移動速度を取得し、
前記目標端末から前記目標容器までの距離、及び前記移動速度に基づいて、前記目標端末が前記目標容器まで移動するのにかかる時間である第２時間を特定する
ことを特徴とする請求項６に記載の温度提示装置。
【請求項１０】
前記トリガモジュールは、
前記第１時間が前記第２時間未満であると、前記目標端末に提示通知を送信して、前記目標端末が提示信号を発するようにするか、
及び／或は、
前記第１時間が前記第２時間未満であると、前記目標容器に提示通知を送信して、前記目標容器が提示信号を発するようにする
ことを特徴とする請求項６に記載の温度提示装置。
【請求項１１】
プロセッサと、
前記プロセッサが実行可能な命令を記憶するためのメモリと
を備え、
前記プロセッサは、
目標容器内の現在温度を取得し、前記目標容器とバインディング関係を有する目標端末から前記目標容器までの距離を取得し、
前記現在温度に基づいて、前記目標容器内の温度から予め設定した目標温度まで変化するのにかかる時間である第１時間を特定し、
前記目標端末から前記目標容器までの距離に基づいて、前記目標端末が前記目標容器まで移動するのにかかる時間である第２時間を特定し、
前記第１時間が前記第２時間未満であると、提示信号をトリガする
ように構成され、
ここで、前記目標温度は、水の沸点である１００℃未満である
ことを特徴とする温度提示装置。
【請求項１２】
プロセッサに実行されることにより、請求項１から請求項５のいずれかに記載の温度提示方法を実現することを特徴とするプログラム。
【請求項１３】
請求項１２に記載のプログラムが記録された記録媒体。
【発明の詳細な説明】
【相互参照】
【０００１】
本願は、出願番号がＣＮ２０１４１０４２２０５３.２であって、出願日が２０１４年８月２５日である中国特許出願に基づいて優先権を主張し、当該中国特許出願のすべての内容を援用する。
【技術分野】
【０００２】
本発明は、コンピュータ技術分野に関し、特に、温度提示方法、装置、プログラム、及び記録媒体に関する。
【背景技術】
【０００３】
日常生活において、例えば、水を飲んだり、洗顔したり、等のように、お湯を利用する場合が多いため、人々は、よく、湯を沸かす必要がある。一般的に、人々は、よくやかんを利用して湯を沸かす。やかんは、一般的に、水が沸騰したことを提示する機能を提供する。
【０００４】
一般的に、ユーザがやかんを利用して湯を沸かす過程は、以下のとおりである。やかんに冷水を入れて、蓋を閉じた後に、スイッチを入れると、やかんは水を加熱し始め、やかんの中の水が沸騰した後に、やかんをトリガして提示信号（例えば、音を出す等）を出して、ユーザに水が沸騰したことを通知する。
【０００５】
本発明を実現する過程において、発明者は、少なくとも、以下の問題が存在することを発見した。
【０００６】
やかんを利用して水を沸かす時に、やかんは、ただ、冷水を熱湯に加熱した後に、提示信号をトリガする。この時、ユーザは熱湯しか得られない。もし、ユーザが温水を飲みようとすると、ユーザは、まず、加熱して熱湯を得た後に、再び、熱湯を温水に冷やすか、又は、熱湯と冷水を一定の比率によって混合して温水を得る。このように、温度制御の柔軟性が悪い。
【発明の概要】
【０００７】
関連技術にて存在する問題を解決するために、本発明は、温度提示方法、装置、プログラム、及び記録媒体を提供する。その構成は、以下のとおりである。
【０００８】
本発明の実施例に係る第１態様によると、温度提示方法を提供する。
前記方法は、
目標容器内の現在温度を取得し、前記目標容器とバインディング関係を有する目標端末から前記目標容器までの距離を取得するステップと、
前記現在温度に基づいて、前記目標容器内の温度から予め設定した目標温度まで変化するのにかかる時間である第１時間を特定するステップと、
前記目標端末から前記目標容器までの距離に基づいて、前記目標端末が前記目標容器まで移動するのにかかる時間である第２時間を特定するステップと、
前記第１時間が前記第２時間未満であると、提示信号をトリガするステップと
を含む。
【０００９】
オプションとして、
目標容器内の現在温度を取得し、前記目標容器とバインディング関係を有する目標端末から前記目標容器までの距離を取得するステップは、
目標容器内の現在温度を取得し、前記現在温度と予め設定した目標温度との間の差分が予め設定した閾値より小さいと、前記目標容器とバインディング関係を有する目標端末から前記目標容器までの距離を取得するステップ
を含む。
【００１０】
オプションとして、
前記現在温度に基づいて、前記目標容器内の温度から予め設定した目標温度まで変化するのにかかる時間である第１時間を特定するステップは、
前記現在温度に基づいて、事前に保存した温度と時間との変化関係関数に従って、前記目標容器内の温度から予め設定した目標温度まで変化するのにかかる時間である第１時間を特定するステップ
を含む。
【００１１】
オプションとして、
前記目標端末から前記目標容器までの距離に基づいて、前記目標端末が前記目標容器まで移動するのにかかる時間である第２時間を特定するステップは、
前記目標端末の過去の移動過程での移動速度を取得するステップと、
前記目標端末から前記目標容器までの距離、及び前記移動速度に基づいて、前記目標端末が前記目標容器まで移動するのにかかる時間である第２時間を特定するステップと
を含む。
【００１２】
オプションとして、
前記第１時間が前記第２時間未満であると、提示信号をトリガするステップは、
前記第１時間が前記第２時間未満であると、前記目標端末に提示通知を送信して、前記目標端末が提示信号を発するようにするステップ、
及び／或は、
前記第１時間が前記第２時間未満であると、前記目標容器に提示通知を送信して、前記目標容器が提示信号を発するようにするステップ
を含む。
【００１３】
本発明の実施例に係る第２態様によると、温度提示装置を提供する。
前記装置は、
目標容器内の現在温度を取得し、前記目標容器とバインディング関係を有する目標端末から前記目標容器までの距離を取得するための取得モジュールと、
前記現在温度に基づいて、前記目標容器内の温度から予め設定した目標温度まで変化するのにかかる時間である第１時間を特定するための第１特定モジュールと、
前記目標端末から前記目標容器までの距離に基づいて、前記目標端末が前記目標容器まで移動するのにかかる時間である第２時間を特定するための第２特定モジュールと、
前記第１時間が前記第２時間未満であると、提示信号をトリガするためのトリガモジュールと
を備える。
【００１４】
オプションとして、
前記取得モジュールは、
目標容器内の現在温度を取得し、前記現在温度と予め設定した目標温度との間の差分が予め設定した閾値より小さいと、前記目標容器とバインディング関係を有する目標端末から前記目標容器までの距離を取得する。
【００１５】
オプションとして、
前記第１特定モジュールは、
前記現在温度に基づいて、事前に保存した温度と時間との変化関係関数に従って、前記目標容器内の温度から予め設定した目標温度まで変化するのにかかる時間である第１時間を特定する。
【００１６】
オプションとして、
前記第２特定モジュールは、
前記目標端末の過去の移動過程での移動速度を取得するステップと、
前記目標端末から前記目標容器までの距離、及び前記移動速度に基づいて、前記目標端末が前記目標容器まで移動するのにかかる時間である第２時間を特定する。
【００１７】
オプションとして、
前記トリガモジュールは、
前記第１時間が前記第２時間未満であると、前記目標端末に提示通知を送信して、前記目標端末が提示信号を発するようにするか、
及び／或は、
前記第１時間が前記第２時間未満であると、前記目標容器に提示通知を送信して、前記目標容器が提示信号を発するようにする。
【００１８】
本発明の実施例に係る第３の態様によると、温度提示装置を提供する。
当該装置は、
プロセッサと、
前記プロセッサが実行可能な命令を記憶するためのメモリと
を備え、
前記プロセッサは、
目標容器内の現在温度を取得し、前記目標容器とバインディング関係を有する目標端末から前記目標容器までの距離を取得し、
前記現在温度に基づいて、前記目標容器内の温度から予め設定した目標温度まで変化するのにかかる時間である第１時間を特定し、
前記目標端末から前記目標容器までの距離に基づいて、前記目標端末が前記目標容器まで移動するのにかかる時間である第２時間を特定し、
前記第１時間が前記第２時間未満であると、提示信号をトリガする
ように構成される。
本発明の実施例に係る第４態様によると、プロセッサに実行されることにより、上記の温度提示方法を実現するプログラムを提供する。
本発明の実施例に係る第５態様によると、上記プログラムが記録された記録媒体を提供する。
【００１９】
本発明の実施例によって提供する構成は、以下の有益な効果を含む。
【００２０】
本発明に係る実施例によると、目標容器内の現在温度を取得し、目標容器とバインディング関係を有する目標端末から目標容器までの距離を取得し、現在温度に基づいて、目標容器内の温度から予め設定した目標温度まで変化するのにかかる時間である第１時間を特定し、目標端末から目標容器までの距離に基づいて、目標端末が目標容器まで移動するのにかかる時間である第２時間を特定し、第１時間が第２時間未満であると、提示信号をトリガする。このようにして、任意に予め設定した目標温度に関する提示を行うことができるため、容器の中の温度を任意の目標温度に制御でき、温度制御の柔軟性を改善できる。
【００２１】
以上の統括な記述と以下の細部記述は、ただ例示的なものであり、本発明を制限するものではないと、理解するべきである。
【図面の簡単な説明】
【００２２】
ここでの図面は、明細書に合併されて本明細書の一部を構成して本発明に合致する実施例を示し、明細書とともに本発明の原理の説明をするのに用いられる。
【００２３】
【図１】一例示的な実施例に係る温度を制御するための方法を示すフローチャートである。
【図２】一例示的な実施例に係るシステムのフレームを示す模式図である。
【図３】一例示的な実施例に係る温度を制御するための方法を示すフローチャートである。
【図４】一例示的な実施例に係る関数のグラフを示す模式図である。
【図５】一例示的な実施例に係る温度を制御するための方法を示すフローチャートである。
【図６】一例示的な実施例に係る温度を制御するための方法を示すフローチャートである。
【図７】一例示的な実施例に係る温度を制御するための装置の構成を示す模式図である。
【図８】一例示的な実施例に係るサーバの構成を示す模式図である。
【００２４】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００２５】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２６】
実施例１
【００２７】
本発明の実施例に係る第１態様によると、温度提示方法を提供する。図１に示したように、温度を制御するための方法を実行するための実行本体は、サーバ、ルータ、端末、或は、スマート容器であってもよい。ここで、スマート容器は、スマートケトル、スマートカップ、等であってもよい。端末は、携帯電話、スマートブレスレット、等のような移動端末であってもよい。サーバは、温度を制御するためのアプリケーションのバックエンドサーバであってもよい。
【００２８】
本実施例において、ユーザが水を沸かす場面の例を挙げて、構成を詳細に説明する。ここで、実行本体はサーバであり、容器の中で加熱する物質は水である例を挙げる。その他の場面、デバイス、及び被加熱物の場合は上記の例と類似であるため、繰り返して説明しない。本発明の実施例に係るシステムのフレーム図は、図２に示したようである。当該システムには、目標容器、目標端末、及びサーバが含まれている。図１に示したように、当該方法の処理の流れは、以下のステップを含んでもよい。
【００２９】
ステップ１０１において、目標容器内の現在温度を取得し、目標容器とバインディング関係を有する目標端末から目標容器までの距離を取得する。
【００３０】
本実施例において、サーバにおいて、目標容器と目標端末との間のバインディング関係を確立してもよく、バインディング関係を確立する方法には、様々な方法がある。目標容器と目標端末との中には、それぞれ、温度を制御するためのアプリケーションがインストールされていてもよい。ユーザは、端末を用いてアプリケーションを起動して、サーバにログインしてもよい。サーバは、同一のアカウントを有するスマート容器と目標端末とをバインディングして、それらの間のバインディング関係を記録してもよい。例えば、ユーザは、携帯電話を用いてアプリケーションを起動して、アカウント番号Ａによってサーバにログインした後に、もし、サーバによりあるスマート容器もアカウント番号Ａに対応されていることが検出されると、携帯電話と当該スマート容器とをバインディングさせる。
【００３１】
或は、ユーザは、端末のアプリケーションを用いて、サーバに、ある目標容器とある目標端末とをバインディングさせることを要求することにより、サーバによって当該スマート容器のデバイス識別子と当該端末のデバイス識別子とを関連付けて保存して、それらの間のバインディング関係を記録してもよい。例えば、ユーザは、携帯電話を用いてアプリケーションを起動した後に、スマートケトルとスマートブレスレットとにバインディング関係を確立して、当該バインディング関係をサーバに通知してもよい。
【００３２】
ユーザは、ある温度（例えば、７０℃）の水が必要する時に、スマート容器（即ち、目標容器）に対して当該温度を加熱の目標温度として設定してから、目標容器の加熱スイッチをオンにして、目標容器が加熱を始めるようにする。目標容器には温度センサが設置されており、温度センサは、目標容器内の水の温度を取得できる。ユーザにより目標温度を設置して、目標容器のスイッチをオンにした後に、目標容器は、温度センサを用いて目標容器内の水の温度を検出して、検出された温度の値を定期的にサーバに送信してもよい。このようにして、サーバは、目標容器内の温度を取得できる。
【００３３】
目標容器と目標端末には、それぞれ、測位装置が設置されていてもよい。測位装置は、目標容器、或は、目標端末の位置情報を取得できる。サーバは、目標容器より送信した水の温度を受信した後に、まず、目標容器とバインディング関係を有する端末（即ち、目標端末）を特定する。例えば、サーバは、目標容器が登録したアカウントを取得し、さらに、同時に当該アカウントに登録したスマートブレスレットを検索する。すると、当該スマートブレスレットが、検索された目標端末になる。その後、サーバは、目標容器と目標端末とに、それぞれ、測位要求を送信し、目標容器と目標端末とは、測位要求を受信した後、定期的に上記の測位装置を用いてそれぞれの位置情報を取得して、それぞれ、取得さえたそれぞれの位置情報をサーバに送信する。位置情報を取得、及び送信する周期は、温度値を送信する周期と同一であってもよい。サーバは、受信された目標容器の位置情報と目標端末の位置情報とに基づいて、目標容器と目標端末との間の距離を算出してもよい。
【００３４】
ステップ１０２において、現在温度に基づいて、目標容器内の温度から予め設定した目標温度まで変化するのにかかる時間である第１時間を特定する。
【００３５】
本実施例において、サーバは、一つの加熱速度を事前に設定してもよい。目標容器より送信した現在温度を受信した後、サーバは、ユーザにより予め設定した目標温度を取得してもよい。即ち、上記の目標容器によりアップロードした目標温度を取得してもよい。さらに、サーバは、目標温度と現在温度との間の差分を算出して、当該差分を被除数とし、事前に設定した加熱速度を除数として割り算をして、得られた商を目標容器内の水の温度から目標温度変化するのにかかる時間（即ち、第１時間）とする。
【００３６】
ステップ１０２とステップ１０３との順次には前後関係が無いことを、説明する必要がある。
【００３７】
ステップ１０３において、目標端末から目標容器までの距離に基づいて、目標端末が目標容器まで移動するのにかかる時間である第２時間を特定する。
【００３８】
本実施例において、サーバは、一つの移動速度を予め設定してもよい。当該移動速度は、一般の人の移動速度を統計して得られる。目標容器と目標端末とより送信した位置情報を受信した後、サーバは、目標端末から目標容器までの距離を算出し、次に、当該距離の値を被除数とし、予め設定した移動速度を除数として割り算をして、得られた商を目標端末が目標容器まで移動するのにかかる時間（即ち、第２時間）とする。当該時間は、スマートブレスレット（即ち、目標端末）を装着しているユーザがスマートケトル（即ち、目標容器）に移動するのにかかる時間である。
【００３９】
ステップ１０４において、第１時間が第２時間未満であると、提示信号をトリガする。
【００４０】
本実施例において、サーバは、第１時間と第２時間とを特定した後、両者を比較してもよい。第１時間が第２時間未満であると、ユーザが現在から目標容器へ移動し始めると、目標容器に到着したタイミングに、目標容器内の温度が既に予め設定した目標温度に達したことを意味する。このような場合、サーバは、目標容器、及び／或は、目標端末をトリガして提示信号を発するようにして、ユーザを提示してもよい。第１時間が第２時間よりもおおきいと、ユーザが現在から目標容器へ移動し始めると、目標容器に到着したタイミングに、目標容器内の温度がまだ予め設定した目標温度に達していないことを意味する。このような場合、サーバは、処理しなく、即ち、提示信号をトリガしない。上記の提示信号を発した場合に、ユーザは提示信号を発見した後、目標容器へ移動してもよい。ユーザが移動する過程において、目標容器は加熱状態を維持し、温度センサにより水の温度が目標温度に達したことが検出されると、目標容器は加熱を停止する。上記のサーバの算出過程から分かれるように、ユーザが目標容器に到着したタイミングに、目標容器は既に加熱を停止したか、或は、ちょうど加熱を停止した可能性がある。
【００４１】
本発明に係る実施例によると、目標容器内の現在温度を取得し、目標容器とバインディング関係を有する目標端末から目標容器までの距離を取得し、現在温度に基づいて、目標容器内の温度から予め設定した目標温度まで変化するのにかかる時間である第１時間を特定し、目標端末から目標容器までの距離に基づいて、目標端末が目標容器まで移動するのにかかる時間である第２時間を特定し、第１時間が第２時間未満であると、提示信号をトリガする。このようにして、任意に予め設定した目標温度に関する提示を行うことができるため、容器の中の温度を任意の目標温度に制御でき、温度制御の柔軟性を改善できる。
【００４２】
実施例２
【００４３】
本発明の実施例に係る第２態様によると、温度提示方法を提供する。温度を制御するための方法を実行本体は、サーバ、ルータ、端末、或は、スマート容器であってもよい。ここで、スマート容器は、スマートケトル、スマートカップ、等であってもよい。端末は、携帯電話、スマートブレスレット、等のような移動端末であってもよい。サーバは、温度を制御するためのアプリケーションのバックエンドサーバであってもよい。
【００４４】
本実施例において、ユーザが水を沸かす場面の例を挙げて、構成を詳細に説明する。ここで、実行本体はサーバであり、容器の中で加熱する物質は水である例を挙げる。その他の場面、デバイス、及び被加熱物の場合は上記の例と類似であるため、繰り返して説明しない。本発明の実施例に係るシステムのフレーム図は、図２に示したようである。当該システムには、目標容器、目標端末、及びサーバが含まれている。図３に示したように、当該方法の処理の流れは、以下のステップを含んでもよい。
【００４５】
ステップ３０１において、目標容器内の現在温度を取得する。
【００４６】
当該目標容器内には、温度計測デバイスが配置されている。温度計測デバイスの具体的な配置位置は限定しない。例えば、目標容器の内壁、目標容器の底部、等であってもよい。
【００４７】
例えば、ユーザは、ある温度（例えば、７０℃）の水が必要する時に、該当するアプリケーションを用いて、携帯電話側に、スマート容器（即ち、目標容器）の所定の目標温度を設定してもよい。目標容器の加熱スイッチをオンにした後、目標容器は加熱し始める。目標容器には、温度センサが配置されていてもよい。温度センサは、目標容器内の水の温度を取得できる。ユーザが、目標温度を設定してから、目標容器のスイッチをオンにした後、目標容器は、温度センサを用いて目標容器内の水の温度を検出して、検出された温度の値を定期的にサーバに送信してもよい。このようにして、サーバは、目標容器内の温度を取得できる。
【００４８】
ステップ３０２において、現在温度と予め設定した目標温度との間の差分が、予め設定した閾値よりも小さいと、目標容器とバインディング関係を有する目標端末から目標容器までの距離を取得する。
【００４９】
本実施例において、目標容器は、温度センサを用いて目標容器内の水の温度を取得して、定期的に取得された温度の値をサーバに送信し、サーバは、目標容器より送信した温度の値を受信した後、当該温度と上記の目標温度との間の差分を受信し、差分と予め設定した閾値（例えば、２０℃）とを比較する。もし、差分が予め設定した閾値よりも小さいと、サーバは、目標容器と目標端末とに、目標容器の位置情報と目標端末の位置情報との取得を要求して、両者の間の距離を算出し、差分が予め設定した閾値以上であると、サーバは、処理をしない。
【００５０】
ステップ３０３において、現在温度に基づいて、事前に保存した温度と時間との変化関係関数に従って、目標容器内の温度から予め設定した目標温度まで変化するのにかかる時間である第１時間を特定する。
【００５１】
ここで、温度と時間との変化関係関数は、温度が加熱時間に応じて変化する関数であってもよい。
【００５２】
本実施例において、サーバは、水の温度と時間との変化関係関数を事前に保存してもよい。温度と時間との変化関係関数は、大量の実験データを分析・演算して得られる。該当する関数のグラフは、図４に示したようである。サーバは、目標容器内の現在温度が取得された際に、当該現在温度を温度と時間との変化関係関数に代入して、目標容器内の現在温度（即ち、図４の中のＴ１）に対応される第１時間（即ち、図４の中のｔ１）を特定できる。サーバは、さらに、目標温度を温度変化関係関数に代入して、目標温度（即ち、図４の中のＴ２）に対応する第２時間（即ち、図４の中のｔ２）を特定できる。さらに、ｔ１とｔ２との差分を算出できる。当該差分が、目標容器内の現在温度から予め設定した目標温度まで変化するのにかかる時間である第１時間である。オプションとして、上記の温度と時間との変化関係関数の中には、さらに、環境温度の変数が含まれていてもよい。目標容器は、さらに、その周囲の環境温度を取得してサーバに送信してもよい。サーバは、環境温度、目標温度、及び目標容器内の現在温度に基づいて、上記の算出方法と類似の算出方法に従って、上記の第１時間を得ることができる。また、オプションとして、上記の温度と時間との変化関係関数の中には、さらに、加熱パワーと容積の変数とが含まれていてもよい。目標容器は、さらに、自デバイスの加熱パワーと入れた水の容積を、サーバに送信してもよい。サーバは、環境温度、目標温度、現在温度、加熱パワー、及び容積に基づいて、上記の算出方法と類似の算出方法に従って、上記の第１時間を得ることができる。
【００５３】
ステップ３０４において、目標端末の過去の移動過程での移動速度を取得する。
【００５４】
本実施例において、サーバは、目標端末を用いて、目標端末を装着しているユーザの運動状態、及び互いに異なる運動状態での移動速度を検出してもよい。例えば、ユーザの徒歩状態での平均移動速度を検出してもよい。一般的に、ユーザは、徒歩の形式によって目標容器へ移動するため、サーバは、目標端末から過去の移動過程でのユーザの徒歩状態での平均移動速度を取得し、記録して、後のステップの処理に使用する。例えば、サーバは、スマートブレスレットに速度取得要求を送信し、スマートブレスレットは、サーバに過去の移動過程でのユーザの徒歩状態での平均移動速度を送信する。
【００５５】
ステップ３０５において、目標端末から目標容器までの距離、及び移動速度に基づいて、目標端末が目標容器まで移動するのにかかる時間である第２時間を特定する。
【００５６】
本実施例において、サーバは、上記の目標容器から目標端末までの距離の値を被除数とし、上記の取得した移動速度を除数として割り算をして、得られた商を目標端末が目標容器まで移動するのにかかる時間とする。当該時間は、スマートブレスレット（即ち、目標端末）を装着しているユーザがスマートケトル（即ち、目標容器）に移動するのにかかる時間である。
【００５７】
ステップ３０６において、第１時間が前記第２時間未満であると、提示信号をトリガする。
【００５８】
提示信号をトリガする処理方法には、様々な方法がある。互いに異なる処理方法を、単一に使用してもよいし、組み合わせて使用してもよい。以下、いくつかの処理方法を説明する。
【００５９】
方法１、第１時間が第２時間未満であると、目標端末に提示通知を送信して、目標端末が提示信号を発するようにする。
【００６０】
本実施例において、第１時間が第２時間未満であると、サーバは、目標端末に提示通知を送信し、目標端末は、サーバより送信した提示通知を受信した後、提示信号を発してユーザを提示してもよい。目標端末により発する提示信号の形式には、様々な形式がある。例えば、ベル、振動、フラッシュ、等であってもよい。目標端末は、これらの中の一つの形式を、提示信号のデフォルト形式に設定してもよい。なお、ユーザは、自分の習慣、好み、需要、等によって提示信号の形式を設定してもよい。例えば、第１時間が第２時間未満であると、サーバは、スマートブレスレットに提示通知を送信し、スマートブレスレットは、サーバより送信した提示通知を受信した後、振動の方式によって、ユーザに水が既に沸かされたことを提示してもよい。
【００６１】
方法２、第１時間が第２時間未満であると、目標容器に提示通知を送信して、目標容器が提示信号を発するようにする。
【００６２】
本実施例において、第１時間が第２時間未満であると、サーバは、目標容器に提示通知を送信し、目標容器は、サーバより送信した提示通知を受信した後、提示信号を発してユーザを提示してもよい。目標端末により発する提示信号の形式には、様々な形式がある。例えば、ベル、振動、フラッシュ、等であってもよい。目標端末は、これらの中の一つの形式を、提示信号のデフォルト形式に設定してもよい。なお、ユーザは、自分の習慣、好み、需要、等によって提示信号の形式を設定してもよい。例えば、第１時間が第２時間未満であると、サーバは、スマートケトルに提示通知を送信し、スマートケトルは、サーバより送信した提示通知を受信した後、ベルを発する方法によって、ユーザに水が既に沸かされたことを提示してもよい。
【００６３】
本発明に係る実施例によると、目標容器内の現在温度を取得し、目標容器とバインディング関係を有する目標端末から目標容器までの距離を取得し、現在温度に基づいて、目標容器内の温度から予め設定した目標温度まで変化するのにかかる時間である第１時間を特定し、目標端末から目標容器までの距離に基づいて、目標端末が目標容器まで移動するのにかかる時間である第２時間を特定し、第１時間が第２時間未満であると、提示信号をトリガする。このようにして、任意に予め設定した目標温度に関する提示を行うことができるため、容器の中の温度を任意の目標温度に制御でき、温度制御の柔軟性を改善できる。
【００６４】
実施例３
【００６５】
本発明の実施例に係る第３の態様によると、温度提示方法を提供する。以下、実行本体がルータである例を挙げて、ユーザが水を沸かす場面の構成を詳細に説明する。図５に示したように、当該方法は、以下のステップの処理を含む。
【００６６】
ステップ５０１において、ルータにより、目標容器内の現在温度を取得する。
【００６７】
本実施例において、当該目標容器内には、温度計測デバイスが配置されている。温度計測デバイスの具体的な配置位置は限定しない。例えば、目標容器の内壁、目標容器の底部、等であってもよい。
【００６８】
例えば、ユーザは、ある温度（例えば、７０℃）の水が必要する時に、該当するアプリケーションを用いて、携帯電話側に、スマート容器（即ち、目標容器）の所定の目標温度を設定してもよい。目標容器の加熱スイッチをオンにした後、目標容器は加熱し始める。目標容器には、温度センサが配置されていてもよい。温度センサは、目標容器内の水の温度を取得できる。ユーザが、目標温度を設定してから、目標容器のスイッチをオンにした後、目標容器は、温度センサを用いて目標容器内の水の温度を検出して、検出された温度の値を定期的にルータに送信してもよい。このようにして、ルータは、目標容器内の温度を取得できる。
【００６９】
ステップ５０２において、ルータにより、現在温度に基づいて、目標容器内の温度から予め設定した目標温度まで変化するのにかかる時間である第１時間を特定する。
【００７０】
ルータにより第１時間を特定する処理方法は、ステップ１０２において第１時間を特定する処理方法と同様であり、上記の実施例における関連内容を参考できるから、ここでは繰り返して説明しない。
【００７１】
ステップ５０３において、ルータにより、目標容器とバインディングされた目標端末を特定し、目標端末が目標容器まで移動するのにかかる時間である第２時間を特定する。
【００７２】
本実施例において、ルータにおいて、目標容器と目標端末との間のバインディング関係を確立してもよく、バインディング関係を確立する方法には、様々な方法がある。目標容器と目標端末との中には、それぞれ、温度を制御するためのアプリケーションがインストールされていてもよい。ユーザは、端末を用いてアプリケーションを起動して、ルータにログインしてもよい。ルータは、同一のアカウントを有するスマート容器と目標端末とをバインディングして、それらの間のバインディング関係を記録してもよい。例えば、ユーザは、携帯電話を用いてアプリケーションを起動して、アカウント番号Ａによってルータにログインした後に、もし、ルータによりあるスマート容器もアカウント番号Ａに対応されていることが検出されると、携帯電話と当該スマート容器とをバインディングさせる。
【００７３】
或は、ユーザは、端末のアプリケーションを用いて、ルータに、ある目標容器とある目標端末とをバインディングさせることを要求することにより、ルータによって当該スマート容器のデバイス識別子と当該端末のデバイス識別子とを関連付けて保存して、それらの間のバインディング関係を記録してもよい。例えば、ユーザは、携帯電話を用いてアプリケーションを起動した後に、スマートケトルとスマートブレスレットとにバインディング関係を確立して、当該バインディング関係をルータに通知してもよい。
【００７４】
ステップ５０４において、第１時間が前記第２時間未満であると、提示信号をトリガする。
【００７５】
提示信号をトリガする処理方法には、様々な方法がある。互いに異なる処理方法を、単一に使用してもよいし、組み合わせて使用してもよい。以下、いくつかの処理方法を説明する。
【００７６】
方法１、第１時間が第２時間未満であると、ルータにより、目標端末に提示通知を送信して、目標端末が提示信号を発するようにする。
【００７７】
方法２、第１時間が第２時間未満であると、ルータにより、目標容器に提示通知を送信し、目標容器が提示信号を発するようにする。
【００７８】
上記の二つの方法の処理は、ステップ３０６においての処理方法と同様であり、上記の実施例における関連内容を参考できるから、ここでは繰り返して説明しない。
【００７９】
ステップ５０２において第１時間を特定する時には、以下の方法を採用する。即ち、前記現在温度に基づいて、事前に保存した温度と時間との変化関係関数に従って、前記目標容器内の温度から予め設定した目標温度まで変化するのにかかる時間である第１時間を特定する。
【００８０】
ルータにより第１時間を特定する処理方法は、ステップ３０３において第１時間を特定する処理方法と同様であり、上記の実施例における関連内容を参考できるから、ここでは繰り返して説明しない。
【００８１】
ステップ５０３において第２時間を特定する時に、以下の方法を採用する。即ち、現在温度と予め設定した目標温度との差分が予め設定した閾値よりも小さいと、目標容器とバインディング関係を有する目標端末から目標容器までの距離を取得し、また、目標端末の過去の移動過程での移動速度を取得して、目標端末から目標容器までの距離、及び移動速度に基づいて、目標端末が目標容器まで移動するのにかかる時間である第２時間を特定する。
【００８２】
ルータにより第２時間を特定する処理方法は、ステップ３０５において第１時間を特定する処理方法と同様であり上記の実施例における関連内容を参考できるから、ここでは繰り返して説明しない。
【００８３】
本発明に係る実施例によると、目標容器内の現在温度を取得し、目標容器とバインディング関係を有する目標端末から目標容器までの距離を取得し、現在温度に基づいて、目標容器内の温度から予め設定した目標温度まで変化するのにかかる時間である第１時間を特定し、目標端末から目標容器までの距離に基づいて、目標端末が目標容器まで移動するのにかかる時間である第２時間を特定し、第１時間が第２時間未満であると、提示信号をトリガする。このようにして、任意に予め設定した目標温度に関する提示を行うことができるため、容器の中の温度を任意の目標温度に制御でき、温度制御の柔軟性を改善できる。
【００８４】
実施例４
【００８５】
本発明の実施例に係る第４の態様によると、温度提示方法を提供する。以下、実行本体がスマートケトルである例を挙げて、ユーザが水を沸かす場面の構成を詳細に説明する。図６に示したように、当該方法は、以下のステップの処理を含む。
【００８６】
ステップ６０１において、スマートケトル（即ち、目標容器）により、自デバイスの内部の水の現在温度を取得する。
【００８７】
本実施例において、当該目標容器内には、温度計測デバイスが配置されている。温度計測デバイスの具体的な配置位置は限定しない。例えば、目標容器の内壁、目標容器の底部、等であってもよい。
【００８８】
例えば、ユーザは、ある温度（例えば、７０℃）の水が必要する時に、該当するアプリケーションを用いて、携帯電話側に、スマートケトル（即ち、目標容器）の所定の目標温度を設定してもよい。スマートケトルの加熱スイッチをオンにした後、スマートケトルは加熱し始める。スマートケトルには、温度センサが配置されていてもよい。温度センサは、内の水の温度を取得できる。ユーザが、目標温度を設定してから、スマートケトルのスイッチをオンにした後、スマートケトルは、温度センサを用いてスマートケトル内の水の温度を検出してもよい。
【００８９】
ステップ６０２において、スマートケトルにより、自デバイスの内部の水を現在温度から目標温度まで加熱するのにかかる時間である第１時間を特定する。
【００９０】
スマートケトルにより第１時間を特定する処理方法は、ステップ３０３において第１時間を特定する処理方法と同様であり、上記の実施例における関連内容を参考できるから、ここでは繰り返して説明しない。
【００９１】
ステップ６０３において、現在温度と予め設定した目標温度との差分が予め設定した閾値よりも小さいと、スマートケトルにより、自デバイスから自デバイスとバインディングされた目標端末までの距離を特定する。
【００９２】
本実施例において、ユーザは、スマートケトルに、自デバイスとバインディングされたスマートブレスレット（即ち、目標端末）を事前に設定してもよい。スマートケトルは、温度センサを用いてスマートケトル内の水の温度を取得し、現在の温度を取得した後に、当該温度と予め設定した目標温度との差分を算出して、差分と予め設定した閾値（例えば、２０℃）とを比較する。差分が予め設定した閾値より小さいと、スマートケトルは、自デバイスとバインディングされたスマートブレスレットの位置情報の取得を、当該スマートブレスレットに要求し、また、自デバイスの位置情報を取得して、両者の間の距離を取得するか、或は、距離検出装置を用いて自デバイスから自デバイスとバインディングされたスマートブレスレットまでの距離を取得する。差分が予め設定した閾値よりも大きいと、スマートケトルは、処理をしない。
【００９３】
ステップ６０４において、スマートケトルにより、目標端末がスマートケトルまで移動するのにかかる時間である第２時間を特定する。
【００９４】
処理方法は、以下のとおりである。即ち、目標端末の過去の移動過程での移動速度を取得し、目標端末からスマートケトルまでの距離、及び移動速度に基づいて、目標端末がスマートケトルまで移動するのにかかる時間である第２時間を特定する。
【００９５】
スマートケトルにより第２時間を特定する処理方法は、ステップ３０４とステップ３０５においての処理方法と同様であり、上記の実施例における関連内容を参考できるから、ここでは繰り返して説明しない。
【００９６】
ステップ６０５において、第１時間が第２時間未満であると、提示信号をトリガする。
【００９７】
提示信号をトリガする処理方法には、様々な方法がある。互いに異なる処理方法を、単一に使用してもよいし、組み合わせて使用してもよい。以下、いくつかの処理方法を説明する。
【００９８】
方法１、第１時間が第２時間未満であると、スマートケトルは、自デバイスとバインディングされたスマートブレスレットに提示通知を送信して、自デバイスとバインディングされたスマートブレスレットが提示信号を発するようにする。例えば、第１時間が第２時間未満であると、スマートケトルは、自デバイスとバインディングされたスマートブレスレットに提示通知を送信し、スマートブレスレットはスマートケトルにより送信した提示通知を受信到した後、振動の方法によって、ユーザに水が既に沸かされたことを提示する。
【００９９】
方法２、第１時間が第２時間未満であると、スマートケトルにより提示信号を発する。例えば、第１時間が第２時間未満であると、スマートケトルは、ベルを発する方法によって、ユーザに水が既に沸かされたことを提示する。
【０１００】
本発明に係る実施例によると、目標容器内の現在温度を取得し、目標容器とバインディング関係を有する目標端末から目標容器までの距離を取得し、現在温度に基づいて、目標容器内の温度から予め設定した目標温度まで変化するのにかかる時間である第１時間を特定し、目標端末から目標容器までの距離に基づいて、目標端末が目標容器まで移動するのにかかる時間である第２時間を特定し、第１時間が第２時間未満であると、提示信号をトリガする。このようにして、任意に予め設定した目標温度に関する提示を行うことができるため、容器の中の温度を任意の目標温度に制御でき、温度制御の柔軟性を改善できる。
【０１０１】
実施例５
【０１０２】
同一の技術思想を基に、本発明の実施例に係る第５の態様によると、さらに、温度提示装置を提供する。図７に示したように、当該装置は、取得モジュール７１０、第１特定モジュール７２０、第２特定モジュール７３０、及びトリガモジュール７４０を備える。
【０１０３】
当該取得モジュール７１０は、目標容器内の現在温度を取得し、当該目標容器とバインディング関係を有する目標端末から当該目標容器までの距離を取得する。
【０１０４】
当該第１特定モジュール７２０は、現在温度に基づいて、目標容器内の温度から予め設定した目標温度まで変化するのにかかる時間である第１時間を特定する。
【０１０５】
当該第２特定モジュール７３０は、目標端末から目標容器までの距離に基づいて、目標端末が目標容器まで移動するのにかかる時間である第２時間を特定する。
【０１０６】
当該トリガモジュール７４０は、第１時間が第２時間未満であると、提示信号をトリガする。
【０１０７】
オプションとして、取得モジュール７１０は、
目標容器内の現在温度を取得し、現在温度と予め設定した目標温度との差分が予め設定した閾値よりも小さいと、目標容器とバインディング関係を有する目標端末から目標容器までの距離を取得する。
【０１０８】
オプションとして、第１特定モジュール７２０は、
現在温度に基づいて、事前に保存した温度と時間との変化関係関数に従って、目標容器内の温度から予め設定した目標温度まで変化するのにかかる時間である第１時間を特定する。
【０１０９】
オプションとして、第２特定モジュール７３０は、
目標端末の過去の移動過程での移動速度を取得し、
目標端末から目標容器までの距離、及び移動速度に基づいて、目標端末が目標容器まで移動するのにかかる時間である第２時間を特定する。
【０１１０】
オプションとして、トリガモジュール７４０は、
第１時間が第２時間未満であると、目標端末に提示通知を送信して、目標端末が提示信号を発するようにするか、
及び／或は、
第１時間が第２時間未満であると、目標容器に提示通知を送信して、目標容器が提示信号を発するようにする。
【０１１１】
上記の実施例の装置について、その各モジュールが実行する操作の具体的な形態は既に当該方法に関する実施例において詳細に説明したため、ここでは詳細に説明しない。
【０１１２】
本発明に係る実施例によると、目標容器内の現在温度を取得し、目標容器とバインディング関係を有する目標端末から目標容器までの距離を取得し、現在温度に基づいて、目標容器内の温度から予め設定した目標温度まで変化するのにかかる時間である第１時間を特定し、目標端末から目標容器までの距離に基づいて、目標端末が目標容器まで移動するのにかかる時間である第２時間を特定し、第１時間が第２時間未満であると、提示信号をトリガする。このようにして、任意に予め設定した目標温度に関する提示を行うことができるため、容器の中の温度を任意の目標温度に制御でき、温度制御の柔軟性を改善できる。
【０１１３】
上記の実施例によって提供する温度提示装置は、温度を提示する際に、ただ、上記の各機能モジュールに分けて機能を実現する例を説明したが、実際の応用においては、必要に応じて上記の機能を互いに異なる機能モジュールに割り当てて完成させてもよいことを、説明する必要がある。即ち、デバイスの内部の構成を互いに異なる機能モジュールにわけて、上記に記述した全部、或は一部の機能を完成させてもよい。また、上記の実施例によって提供する温度提示装置と、温度提示方法との実施例は、同一思想に属し、その具体的な実現過程の詳細は、方法の実施例を参考できるため、ここでは繰り返して説明しない。
【０１１４】
実施例６
【０１１５】
図８は、本発明の実施例に係るサーバの構成を示す模式図である。当該サーバは、上記の実施例によって提供する温度提示方法を実施することができる。
【０１１６】
具体的には、サーバ８００は、配置、或いは性能によって比較的に大きい差異が発生する可能性があり、１つ或いは１つ以上のＣＰＵ（ｃｅｎｔｒａｌ ｐｒｏｃｅｓｓｉｎg ｕｎｉｔｓ，中央プロセッサ）８２２（例えば、１つ或いは１つ以上のプロセッサ）、メモリ８３２、ＡＰＰ８４２又はデータ８４４を記録する１つ或いは１つ以上の記録媒体８３０（例えば、１つ或いは１つ以上の大容量の記録デバイス）を含んでもよい。ここで、メモリ８３２と記録媒体８３０は、一時的に記録するか持久的に記録することができる。記録媒体８３０に記録されているプログラムは、１つ或いは１つ以上のモジュール（未図示）を含み、各モジュールは、サーバの一連の命令操作を含むことができる。さらに、中央プロセッサ８２２は、記録媒体８３０と通信し、サーバ８００で記録媒体８３０の一連の命令操作を実行するように設置されてもよい。サーバ８００は、さらに、１つ或いは１つ以上の電源８２６、１つ或いは１つ以上の有線又は無線ネットワークインターフェース８５０、１つ或いは１つ以上の入出力インターフェース８５８、１つ或いは１つ以上のキーボード８５６、及び/或いは、１つ或いは１つ以上のＯＳ８４１(例えば、Ｗｉｎｄｏｗｓ ＳｅｒｖｅｒＴＭ、Ｍａｃ ＯＳ ＸＴＭ、ＵｎｉｘＴＭ、ＬｉｎｕｘＴＭ、ＦｒｅｅＢＳＤＴＭなど)を含んでもよい。具体的には、本実施例において、サーバは、メモリ、及び一つ或は一つ以上のプログラムをさらに含み、ここで、一つ或いは一つ以上のプログラムは、メモリに記憶される。また、一つ或いは一つ以上のプログラムは、一つ或いは一つ以上のモジュールをふくんでもよい。
【０１１７】
また、各々のモジュールは、サーバにより実行する一連の命令を含んでもよい。また、一つ或いは一つ以上のプロセッサによって、当該一つ或いは一つ以上のプログラムに含まれた、以下の方法を実現するための命令を実行してもよい。
【０１１８】
当該方法は、
目標容器内の現在温度を取得し、目標容器とバインディング関係を有する目標端末から目標容器までの距離を取得するステップと、
現在温度に基づいて、目標容器内の温度から予め設定した目標温度まで変化するのにかかる時間である第１時間を特定するステップと、
目標端末から目標容器までの距離に基づいて、目標端末が目標容器まで移動するのにかかる時間である第２時間を特定するステップと、
第１時間が第２時間未満であると、提示信号をトリガするステップと
を含む。
【０１１９】
オプションとして、目標容器内の現在温度を取得し、目標容器とバインディング関係を有する目標端末から目標容器までの距離を取得するステップは、
目標容器内の現在温度を取得し、現在温度と予め設定した目標温度との差分が予め設定した閾値よりも小さいと、目標容器とバインディング関係を有する目標端末から目標容器までの距離を取得するステップ
を含む。
【０１２０】
オプションとして、現在温度に基づいて、目標容器内の温度から予め設定した目標温度まで変化するのにかかる時間である第１時間を特定するステップは、
現在温度に基づいて、事前に保存した温度と時間との変化関係関数に従って、目標容器内の温度から予め設定した目標温度まで変化するのにかかる時間である第１時間を特定するステップ
を含む。
【０１２１】
オプションとして、目標端末から目標容器までの距離に基づいて、目標端末が目標容器まで移動するのにかかる時間である第２時間を特定するステップは、
目標端末の過去の移動過程での移動速度を取得するステップと、
目標端末から目標容器までの距離、及び移動速度に基づいて、目標端末が目標容器まで移動するのにかかる時間である第２時間を特定するステップと
を含む。
【０１２２】
オプションとして、前記第１時間が第２時間未満であると、提示信号をトリガするステップは、
第１時間が前記第２時間未満であると、目標端末に提示通知を送信して、目標端末が提示信号を発するようにするステップ、
及び／或は、
第１時間が第２時間未満であると、目標容器に提示通知を送信して、目標容器が提示信号を発するようにするステップ
を含む。
【０１２３】
本発明に係る実施例によると、目標容器内の現在温度を取得し、目標容器とバインディング関係を有する目標端末から目標容器までの距離を取得し、現在温度に基づいて、目標容器内の温度から予め設定した目標温度まで変化するのにかかる時間である第１時間を特定し、目標端末から目標容器までの距離に基づいて、目標端末が目標容器まで移動するのにかかる時間である第２時間を特定し、第１時間が第２時間未満であると、提示信号をトリガする。このようにして、任意に予め設定した目標温度に関する提示を行うことができるため、容器の中の温度を任意の目標温度に制御でき、温度制御の柔軟性を改善できる。
【０１２４】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１２５】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。 
【図１】
0006438034.tif 000002
【図２】
0006438034.tif 000003
【図３】
0006438034.tif 000004
【図４】
0006438034.tif 000005
【図５】
0006438034.tif 000006
【図６】
0006438034.tif 000007
【図７】
0006438034.tif 000008
【図８】
0006438034.tif 000009